(57)【特許請求の範囲】
【請求項１】
フィルムが巻かれている供給スプールと、この供給スプールと一体的に回転すると共にフィルムに関する情報がバーコードで記録されているバーコード円盤を備えたフィルムカートリッジが装填されるカメラにおいて、
前記バーコード円盤上に記録されたバーコードを光学的に読み取る情報読取手段と、この情報読取手段による読み取り結果に基づいて前記バーコードの読み取りの成否を判定する判別手段と、この判別手段によって読取不能が判定されたとき、前記フィルムカートリッジをカメラ本体から自動的に排出させるカートリッジ排出手段とを具備することを特徴とするカメラ。
【請求項２】
前記カートリッジ排出手段の実行は、前記フィルムカートリッジ用の装填蓋が閉状態にあることを条件にして行われることを特徴とする請求項１記載のカメラ。
【請求項３】
前記判別手段は、複数の情報の全てが読み取れたことをもって前記バーコードの読み取り成功を判定することを特徴とする請求項１記載のカメラ。
【請求項４】
前記判別手段は、複数の情報の内の特定の情報が読み取れたことをもって前記バーコードの読み取り成功を判定することを特徴とする請求項１記載のカメラ。
【請求項５】
前記特定の情報は、フィルム感度情報、フィルム枚数情報、フィルム種類情報の少なくとも１つであることを特徴とする請求項４記載のカメラ。
【請求項６】
前記判別手段は、読み取り情報が未定義の情報であることをもって前記バーコードの読み取り不能を判定することを特徴とする請求項１記載のカメラ。
【請求項７】
前記判別手段は、読み取り情報がパリティーエラーであることをもって前記バーコードの読み取り不能を判定することを特徴とする請求項１記載のカメラ。
【発明の詳細な説明】
【０００１】
【産業上の利用分野】
本発明は、供給スプールと一体的に回転するバーコード円盤を備えたフィルムカートリッジが装填可能であると共に、バーコード円盤上のフィルムに関する情報を記録したバーコードの読み取りが可能なカメラに関するものである。
【０００２】
【従来の技術】
この種の技術として、例えば、特開平４−３４０９４３号公報があり、バーコード円盤上に記録されているバーコード（フィルムに関する情報）を光学的に読み取る情報読取手段と、この情報読取手段からの信号と設定値との比較を行い、この信号が所定値以上か否かを判別する判別手段と、この判別手段により所定値以下であることが判別された場合に警告を行うカメラが示されている。また、特開平４−３５８１３７号公報には、バーコード読み取りが不能になったときに不作動になるカメラにあって、再起動スイッチを設ける技術が示されている。
【０００３】
【発明が解決しようとする課題】
しかし、上記従来技術にあっては、フィルムカートリッジを手動により装填する構成を前提にしており、バーコード読み取りが不能な場合でも、装填されたまま忘れてしまう恐れがある。
【０００４】
本発明は、バーコード読み取りの成否を判定できるようにし、読み取り不能のときにフィルムカートリッジが自動的に排出されるようにしたカメラを提供することを目的としている。
【０００５】
【課題を解決するための手段および作用】
本出願に係る発明の目的を実現する構成は、請求項１に記載のように、フィルムが巻かれている供給スプールと、この供給スプールと一体的に回転すると共にフィルムに関する情報がバーコードで記録されているバーコード円盤を備えたフィルムカートリッジが装填されるカメラにおいて、前記バーコード円盤上に記録されたバーコードを光学的に読み取る情報読取手段と、この情報読取手段による読み取り結果に基づいて前記バーコード部の読み取りの成否を判定する判別手段と、この判別手段によって読取不能が判定されたとき、前記フィルムカートリッジをカメラ本体から自動的に排出させるカートリッジ排出手段とを備えるようにしている。
【０００６】
この構成によれば、フィルムカートリッジに設けられたバーコード円盤のバーコードの読み取りが実施され、この読み取り結果に応じて判定が行われ、読み取りの不成功（不能）が判定された時、この判定に基づいてフィルムカートリッジがカメラ本体から自動的に排出され、この作動により使用者はバーコードの読み取りが不能であることを確実に知ることができる。
【０００７】
本出願に係る発明の目的を実現する具体的な構成は、請求項２に記載のように、前記カートリッジ排出手段の実行は、前記フィルムカートリッジ用の装填蓋が閉状態にあることを条件にして行うことができる。
【０００８】
この構成によれば、フィルムカートリッジの着脱を行う際に開閉される装填蓋の開閉に連動してオン／オフする装填蓋スイッチの動作、即ち装填蓋が閉状態であることを条件にしてカートリッジ排出手段によるカートリッジ排出を実行することにより、カートリッジの自動排出動作が効果的に行われる。
【０００９】
本出願に係る発明の目的を実現する他の具体的な構成は、請求項３に記載のように、前記判別手段は、複数の情報の全てが読み取れたことをもって前記バーコードの読み取り成功を判定することができる。
【００１０】
この構成によれば、バーコードに記録されている情報が複数の情報を有する場合、その複数の情報の全てが読み取れたことをもってバーコードの読み取り成功が判定される。全情報の読み取りに基づくことから、バーコードの読み取りミスは全く生じないものと見なすことができ、バーコードの読み取り成功を高信頼に判定することができる。
【００１１】
本出願に係る発明の目的を実現する更に他の具体的な構成は、請求項４に記載のように、前記判別手段は、複数の情報の内の特定の情報が読み取れたことをもって、前記バーコードの読み取り成功を判定することができる。
【００１２】
この構成によれば、複数の情報の内、バーコードに記録された情報の中で特に重要な特定の情報を選定し、この情報が読み取れたことをもって、バーコードの読み取り成功が判定される。したがって、必要最小限度の情報が得られる状態でカメラを使用することが保証される。
【００１３】
本出願に係る発明の目的を実現する具体的なまた更に他の構成は、請求項５に記載のように、前記特定の情報は、フィルム感度情報、フィルム枚数情報、フィルム種類情報の少なくとも１つを選定することができる。
【００１４】
この構成によれば、判定に用いる特定の情報が、フィルム感度情報、フィルム枚数情報、フィルム種類情報の少なくとも１つを選定することにより、必要最小限度の情報に基づく撮影の実行が可能になる。
【００１５】
本出願に係る発明の目的を実現するまた更に他の具体的な構成は、請求項６に記載のように、前記判別手段は、読み取り情報が未定義の情報であることをもって前記バーコードの読み取り不能を判定することができる。
【００１６】
この構成によれば、読み取り情報が未定義の情報を検出した場合、判別手段はバーコードの読み取り不能を判定し、フィルムカートリッジの自動排出を実行させる。したがって、使用者はバーコードの読み取りが不能であることを確実に知ることができる。
【００１７】
本出願に係る発明の目的を実現するまた更に他の具体的な構成は、請求項７に記載のように、前記判別手段は、読み取り情報がパリティーエラーであることをもって前記バーコードの読み取り不能を判定することができる。
【００１８】
この構成によれば、読み取り情報がパリティーエラーである場合、バーコードの記録情報は使用できないものと見なし、これをもって前記バーコード部の読み取り不能を判定する。これにより、バーコードの記録情報は用いることができないものと見なすことができ、カートリッジの自動排出が行われる。
【００１９】
【実施例】
以下、本発明の実施例を図面に基づいて説明する。
【００２０】
図１は本発明によるカメラの一実施例を示すブロック図である。また、図２は本発明のカメラにおけるフィルムカートリッジの外観を示す斜視図、図３はカメラの外観を示す斜視図、図４は図３のカメラにおける底面図、図５は図２のフィルムカートリッジを装填したカメラの縦断面図である。
【００２１】
まず、図２〜図５について説明する。１は図５に示すカメラのフォーク１３のギヤ部１３ａと係合する係合部１ａを有するフィルムカートリッジである。また、２はフィルム感度やフィルム規定駒数等のフィルム情報がバーコードによって印刷されているバーコード円盤である。バーコード円盤２は、図５に示すように、フィルムカートリッジ１の供給スプール１ｂと一体的に回転する様に構成されている。
【００２２】
３はカメラ本体、４はレリーズボタン、５はフィルム感度を表示するフィルム感度表示部５ａ、フィルム規定枚数や撮影枚数を表示する枚数表示部５ｂを有する液晶表示器である。また、６はカートリッジ装填蓋、７はカートリッジ装填蓋６と一体的に構成された透明部であり、カートリッジの感度等のシールを見るためのものである。７ａは透明部７よりの光がフィルム１ｃに回り込まないようにカートリッジ装填蓋６に貼付されたモルトプレーンである。８は後記するロックレバー１１に固着されたカートリッジ装填蓋６を開閉するための開閉ツマミであり、９はカートリッジ装填蓋６を回転可能に軸支する軸である。
【００２３】
１０はカートリッジ装填蓋６の突出部６ｂによりオン／オフする装填蓋スイッチ（ＳＷ１０）であり、カートリッジ装填蓋６が開かれることによってオン（ＯＮ）になり、閉じられることによりオフ（ＯＦＦ）になる。図５の状態時にはカートリッジ装填蓋６が閉じられているため、オフの状態になっている。１１はロックレバーであり、カメラ本体３から突出した２本のピン３ｂ，３ｃによってスライド可能に軸支され、バネ１２により常に図５の右手方向に附勢されている。そして、ロックレバー１１は、カートリッジ装填蓋６の爪部６ａを係止するロック部１１ａを備えている。
【００２４】
また、このロックレバー１１のバネ１２による右方向への附勢は、ストッパ３ａにより規制されている。カートリッジ装填蓋６が閉じられる際、その爪部６ａでロック部１１ａが矢印方向へ動かされ、その後、バネ１２の附勢に従って右方向へ移動し、図５の様にカートリッジ装填蓋６をロックする。１４はギヤであり、給送モータの出力が不図示の減速ギヤ列を介して伝達されると共にギヤ部１３ａに係合する。１５はプリント基板であり、１６はバーコード円盤２上よりバーコードを読み取るフォトリフレクタである。
【００２５】
次に、図１の構成について説明する。
【００２６】
図中、１００は電源としての電池であり、１０１はカメラの各動作を制御するためのマイクロコンピュータである。１０２はＡＥ（自動露出）、ＡＦ（自動焦点合わせ）を行わせるためのＡＥ・ＡＦ駆動回路、１０３はシャッタの開閉を行うためのシャッタ駆動回路、１０４はフィルム１ｃを給送するための給送モータ１０８の駆動、及びフィルムカートリッジ１を排出を行うための駆動源となるモータ１０９を駆動するモータ駆動回路である。このモータ１０９が駆動されることにより、爪部６ａとロック部１１ａの係合が解除される。更に、１０５はフォトリフレクタ１６を駆動するためのフォトリフレクタ駆動回路、１０６はフォトリフレクタ１６からのアナログ信号であるバーコード読取信号のピークとピークの差と所定値とを比較する比較回路、１０７は液晶表示器５を駆動する表示駆動回路である。
【００２７】
図６はフィルムカートリッジ１がカメラ内に装填された後、カメラがフィルム情報を読み取り、かつフィルム情報を表示するまでのマイクロコンピュータ１０１の動作を示すフローチャートである。なお、以下の各フローチャートにおいては、ステップを“Ｓ”で表している。
【００２８】
まず、フィルムカートリッジ１がカメラに装填され、カートリッジ装填蓋６が閉じられることにより、装填蓋スイッチ１０がオフになる。この装填蓋スイッチ１０の動作状態の判定（Ｓ２０１）が行われる。ここで、オフが判定（カートリッジ装填蓋６が図５の様に閉じられたことを意味する）されると、モータ駆動回路１０４は給送モータ１０８を逆転駆動させる（Ｓ２０２）。このように、逆転駆動を行う理由は、バーコード読み取り動作中にフィルムカートリッジ１内よりフィルム１ｃがフィルムカートリッジ１外へ出ないようにする為である。
【００２９】
ついで、フォトリフレクタ駆動回路１０５を介してフォトリフレクタ１６を駆動し、供給スプール１ｂと一体に回転しているフィルムカートリッジ１に設けられたバーコード円盤２上よりバーコード読み取りの為の動作を開始する（Ｓ２０３）。更に、フォトリフレクタ１６で読み取られた白黒パターンの中の白部分のアナログ信号のピーク値を記憶する（Ｓ２０４）。この際、２つのピーク値を記憶することになるが、或る白の部分のピーク値を記憶させた後、バーコード円盤２が例えば半回転した後に次の白部分のピーク値を記憶させる。これは、バーコード部が汚れている場合、全体が汚れてことは殆どなく、一部分のみであるため、汚れている部分のピーク値と汚れていない部分にピーク値を記憶し、比較する必要があるためである。
【００３０】
更に、Ｓ２０４で記憶した各ピーク値の差値と所定値（基準値）との比較を比較回路１０６で実行し、また、上記差値が所定値よりも大きければＳ２０６へ移行し、小さければＳ２０８へ移行する。なお、上記差値が所定値より大きい場合、更に黒白によるアナログ信号をスレッシホールドレベルでデジタル化した信号において、パリティエラーの無いことを確認した後、処理をＳ２０６へ移行させることが望ましい。また、読み取った信号をデコードし、複数の情報全てが認識可能な場合、次のステップに進む様にしてもよい。或いは、読み取った信号をデコードし、複数の情報の内、少なくとも１つを認識可能な場合、次のステップへ進む様にしてもよい。更には、読み取った信号をデコードし、情報が定義されているコードの場合、次のステップへ進み、末定義のコードの場合には、エラーと見なす処理を行ってもよい。
【００３１】
なお、上記した所定値は、バーコード円盤２上のバーコードやフォトリフレクタ１６が或る程度汚れて、バーコードをやっと読み取れる時の信号レベルに設定されている。したがって、上記の所定値よりも上記した差値が大きいということは、バーコードやフォトリフレクタ１６が汚れておらず、余裕をもって（読み取りミスを生じる恐れが全く無い状態で）バーコードを読み取ることができる場合である。また、このことから上記所定値より差値が小さいということは、バーコードとフォトリフレクタ１６の少なくとも一方が薄汚れており、漸くバーコードを読み取ることができる（所定値より差値が僅かに小さい様な時）か、バーコードとフォトリフレクタ１６の少なくとも一方がかなり汚れており、全くバーコードを読み取ることができない（所定値より差値がかなり小さい様な時）場合である。
【００３２】
更に、バーコード円盤２上のバーコードより読み取った情報を液晶表示器５に表示される（Ｓ２０６）。このとき、フィルム感度は図３に示すように、フィルム感度表示部５ａに（図３の例では、フィルム感度は「１００」）フィルム規定枚数は枚数表示部５ｂに（図３の例では、規定枚数は「３６」）夫々表示される。ついで、モータ駆動回路１０４により給送モータ１０８の逆転を停止させ、この後、給送モータ１０８を正回転させ、公知のオートローディングを開始させる（Ｓ２０７）。この後、通常の撮影動作が実行される。
【００３３】
一方、Ｓ２０５において２つのピーク値の差値が所定値よりも小さい場合、上記した様にＳ２０８へ移行する。液晶表示器５での表示を点滅させ（Ｓ２０８）、バーコードとフォトリフレクタ１６の少なくとも一方が薄汚れているか否か、かなり汚れていて、余裕をもってバーコードの読み取りが行えない、つまりカメラの正常な動作を期待できないことの警告を行う。この際、バーコードがどうにか読み取れた場合、その数値を点滅表示させる（Ｓ２０８）。また、全く読み取ることができなかった場合、各表示部に「ＮＧ」等のメッセージを点滅表示させる。なお、このような場合、特に、後者の場合、警告に音声や音楽等を用いてもよい。
【００３４】
この後、レリーズボタン４等の起動信号の受け付けを禁止し、給送モータ１０８を停止し（Ｓ２０９）、カメラの動作を不能にする。更に、モータ駆動回路１０４によりカートリッジ排出用のモータ１０９を起動させ、フィルムカートリッジ１の排出を行う（Ｓ２１０）。
【００３５】
図７は本発明の他の実施例におけるフィルムカートリッジ１がカメラ内に装填された後のカメラがフィルム情報を読み取り、且つ、その情報を表示するまでの動作を示すフローチャートである。なお、回路構成等は上記実施例と同様である。本実施例は、バーコード円盤２上のバーコードの読み取りをオートローディング時に行うものである。
【００３６】
まず、装填蓋スイッチ１０がオンかオフかを判別する（Ｓ３０１）。オフである場合、つまりカートリッジ装填蓋６が閉じられたことが判定された場合、モータ駆動回路１０４により給送モータ１０８を駆動し（Ｓ３０２）、フィルムカートリッジ１からフローチャート１ｃの押し出し、更にはカメラのフィルム巻き取りスプールへの巻き付き動作、つまり公知のオートローディング動作を開始させる。
【００３７】
ついで、フォトリフレクタ駆動回路１０５の制御の基にフォトリフレクタ１６を駆動し、回転しているフィルムカートリッジ１に設けられたバーコード円盤２上からバーコード読み取りのための動作を開始する（Ｓ３０３）。この後、フォトリフレクタ１６で読み取られてくる白黒パターン中の白の部分のアナログ信号の２つのピーク値を夫々記憶する（Ｓ３０４）。ここで記憶した各ピーク値の差値と所定値との比較を比較回路１０６で行い、上記差値が所定値よりも大きければＳ３０６へ移行し、上記差値が所定値よりも小さければＳ３０８へ移行する。バーコード円盤２上のバーコードで読み取った情報を液晶表示器５に表示する（Ｓ３０６）。この後、撮影１枚目がアパーチャ位置に来たことを検出（その構成等については省略する）すると、給送モータ１０８の正転を停止させ（Ｓ３０７）、オートローディングを終了する。この後、通常の撮影動作が実行される。
【００３８】
一方、Ｓ３０５において２つのピーク値の差値が所定値よりも小さい場合、処理はＳ３０８へ移行する。ここでは、液晶表示器５の表示内容を点滅させ（Ｓ３０８）、バーコードとフォトリフレクタ１６の少なくとも一方が薄汚れているか、かなり汚れていて、余裕をもってバーコードの読み取りが行えない、つまりカメラの正常な動作を期待できないことの警告を行う。更に、モータ駆動回路１０４により給送モータ１０８を逆転させ、フィルムカートリッジ１内へのフィルム１ｃの巻き込みを行う（Ｓ３０９）。この後、レリーズボタン４等に対する起動信号を受け付けないようにし、給送モータ１０８を停止し、カメラを動作不能な状態にする（Ｓ３１０）。ついで、モータ駆動回路１０４によりカートリッジ排出用のモータ１０９を作動させ、フィルムカートリッジ１の排出を行う（Ｓ３１１）。
【００３９】
以上の実施例によれば、バーコード読取信号であるアナログ信号のピークとピークの差を取り、この差値と所定値とを比較することにより、バーコードやフォトリフレクタ１６の汚れ具合を判別し、この汚れが読み取りに支障をきたし、或いはその恐れがある場合、この事実を警告する表示を行い、またフィルムカートリッジ１の排出を行う様にしているため、撮影者はカメラが正常な動作を行えない状態にあることを知ることができる。
【００４０】
〔変形例〕
上記した様に、Ｓ２０５（又はＳ３０５）でバーコードの白黒パターン中の白の部分の読取信号であるアナログ信号のピークとピークの差をとり、この差値と所定値とを比較することで、バーコードやフォトリフレクタ１６の汚れ具合を判別してＳ２０６（又はＳ３０６）へ進むかＳ２０８（又はＳ３０８）を決定するようにしているが、本発明はこれに限定されるものではない。
【００４１】
例えば、バーコードの或る白と黒の部分の読取信号であるアナログ信号のピーク値、ボトム値を記憶し、次に、例えばバーコード円盤２が半回転した後の白と黒の部分の読取信号であるアナログ信号のピーク値、ボトム値を記憶し、これらの差値と或る所定値との比較を行い、バーコードやフォトリフレクタ１６の汚れ具合を判別したり、又、全く汚れていない時の白の部分の信号レベルを所定値として予め記憶しておき、バーコードの或る白の部分の読取信号であるアナログ信号のピーク値を上記の所定値と比較し、バーコードやフォトリフレクタ１６の汚れ具合を判別し、Ｓ２０６（又はＳ３０６）へ進むか、或いはＳ２０８（又はＳ３０８）へ進むかを決定するようにしてもよい。
【００４２】
図８は本発明の第２の実施例における処理を示すフローチャートである。図８においては、Ｓ４０１〜Ｓ４０５までの処理は、図６におけるＳ２０１〜Ｓ２０５（又は図７のＳ３０１〜Ｓ３０５）に相当する。したがって、以下においては重複する説明は省略する。
【００４３】
Ｓ４０５でピーク値の差値と所定値との比較が行われ、差値が所定値よりも大きい場合、情報のデコードが行われる（Ｓ４０６）。更に、デコードした情報が全てデコードされたか否かを判定（Ｓ４０７）し、全てデコードされた場合、デコードした情報に末定義のコードの有無を判定する（Ｓ４０８）。末定義のコードが無い場合、読み取った情報を液晶表示器５に表示（Ｓ４０９）する。ついで給送モータ１０８の逆転を停止させ（Ｓ４１０）、この後、給送モータ１０８を正転させ、公知のオートローディングを開始する。
【００４４】
また、Ｓ４０７で全てデコードできなかった場合（又はＳ４０８で未定義のコードが検出された場合）、液晶表示器５の表示を点滅表示させ（Ｓ４１１）、バーコードの読み取りが行えない旨の警告を行う。この後、給送モータ１０８の動作を停止し（Ｓ４１２）、更にモータ駆動回路１０４によってカートリッジ排出用のモータ１０９を駆動し、カートリッジの排出を行う（Ｓ４１３）。
【００４５】
図９は本発明の第３の実施例における処理を示すフローチャートである。図９においては、Ｓ４０１〜Ｓ４０６、Ｓ４０８〜Ｓ４１３については図８の説明と全く同じであるので、以下においては重複する説明を省略する。本実施例は、Ｓ４０６とＳ４０８との間にフィルム１ｃの枚数情報がデコードされたか否かを判定するＳ５０１を設けたところに特徴がある。バーコード情報の内、一部の情報が読み取れたことをもって読み取りは大丈夫であるとし、以降のシーケンスを実行しようとするものである。なお、本実施例は、枚数情報に限られるものではなく、フィルム感度情報、フィルム種類情報であってもよい。
【００４６】
【発明の効果】
以上説明したように、請求項１に記載の発明によれば、フィルムが巻かれている供給スプールと、この供給スプールと一体的に回転すると共にフィルムに関する情報がバーコードで記録されているバーコード円盤を備えたフィルムカートリッジが装填されるカメラにおいて、前記バーコード円盤上に記録されたバーコードを光学的に読み取る情報読取手段と、この情報読取手段による読み取り結果に基づいて前記バーコード部の読み取りの成否を判定する判別手段と、この判別手段によって読取不能が判定されたとき、前記フィルムカートリッジをカメラ本体から自動的に排出させるカートリッジ排出手段とを備えた構成にしたので、使用者は装填されているフィルムカートリッジのバーコード情報の読み取りが不能であることを確実に知ることができる。
【００４７】
請求項２に記載の発明によれば、前記カートリッジ排出手段の実行は、前記フィルムカートリッジ用の装填蓋が閉状態にあることを条件にして行われるようにしたので、カートリッジの自動排出動作が効果的に行われる。
【００４８】
請求項３に記載の発明によれば、前記判別手段は、複数の情報の全てが読み取れたことをもって前記バーコードの読み取り成功を判定するようにしたので、バーコードの読み取り成功を高信頼に判定することができる。
【００４９】
請求項４に記載の発明によれば、前記判別手段は、複数の情報の内の特定の情報が読み取れたことをもって前記バーコードの読み取り成功を判定するようにしているので、必要最小限度の情報が得られる状態でのカメラ使用を保証することができる。
【００５０】
請求項５に記載の発明によれば、前記特定の情報は、フィルム感度情報、フィルム枚数情報、フィルム種類情報の少なくとも１つとしたので、必要最小限度の情報に基づく撮影の実行が可能になる。
【００５１】
請求項６に記載の発明によれば、前記判別手段は、読み取り情報が未定義の情報であることをもって前記バーコード部の読み取り不能を判定するようにしたので、使用者はバーコードの読み取りが不能であることを確実に知ることができる。
【００５２】
請求項７に記載の発明によれば、前記判別手段は、読み取り情報がパリティーエラーであることをもって前記バーコード部の読み取り不能を判定するようにしたので、カートリッジの自動排出により、使用者は装填されているフィルムカートリッジのバーコード情報の読み取り不能を確実に知ることができる。
【図面の簡単な説明】
【図１】本発明によるカメラの一実施例を示すブロック図である。
【図２】本発明のカメラにおけるフィルムカートリッジの外観を示す斜視図である。
【図３】カメラの外観を示す斜視図である。
【図４】図３のカメラにおける底面図である。
【図５】図２のフィルムカートリッジを装填したカメラの縦断面図である。
【図６】フィルムカートリッジ１がカメラ内に装填された後、カメラがフィルム情報を読み取りからフィルム情報の表示に至る処理を示すフローチャートである。
【図７】本発明の他の実施例におけるフィルムカートリッジ１がカメラ内に装填された後、フィルム情報の読み取りから情報表示に至る処理を示すフローチャートである。
【図８】本発明の第２の実施例における処理を示すフローチャートである。
【図９】本発明の第３の実施例における処理を示すフローチャートである。
【符号の説明】
１  フィルムカートリッジ
１ｂ  供給スプール
１ｃ  フィルム
２  バーコード円盤
３  カメラ本体
５  液晶表示器
１０  装填蓋スイッチ
１６  フォトリフレクタ
１０１  マイクロコンピュータ
１０４  モータ駆動回路
１０５  フォトリフレクタ駆動回路
１０６  比較回路
１０７  表示駆動回路
１０８  給送モータ
１０９  モータ
【図１】
0003599419.tif 000002
【図２】
0003599419.tif 000003
【図３】
0003599419.tif 000004
【図４】
0003599419.tif 000005
【図５】
0003599419.tif 000006
【図６】
0003599419.tif 000007
【図７】
0003599419.tif 000008
【図８】
0003599419.tif 000009
【図９】
0003599419.tif 000010